(57)【要約】【課題】医師の作業負荷を増大させることなく、個々の患者にとって見易く且つ理解し易い患者用説明資料を作成する仕組みを提供する。【解決手段】対象となる患者に係る患者情報を取得する患者情報取得手段２１１と、資料格納手段２０２から当該患者に係る資料情報を取得する資料情報取得手段２１４と、患者情報に基づいて患者用説明資料の構成を設定する設定手段２１６及び２１８と、資料情報取得手段２１４で取得した資料情報と設定手段２１６及び２１８で設定した患者用説明資料の構成とに基づいて患者用説明資料を生成する生成手段２２０を備える。【選択図】図２
2015170312.tif 000002
【特許請求の範囲】
【請求項１】
患者に説明するための資料を作成する患者用説明資料作成装置であって、
前記患者に係る患者情報を取得する患者情報取得手段と、
資料格納手段から、前記患者に係る資料の情報である資料情報を取得する資料情報取得手段と、
前記患者情報に基づいて、患者用説明資料の構成を設定する設定手段と、
前記資料情報および前記患者用説明資料の構成に基づいて、患者用説明資料を生成する生成手段と、
を有することを特徴とする患者用説明資料作成装置。
【請求項２】
前記設定手段は、
構成情報の入力に従って、前記資料情報に基づき患者用説明資料の構成を決定する決定手段と、
前記患者情報に基づいて、前記決定手段で決定した患者用説明資料の構成を変更して、当該変更後の患者用説明資料の構成を前記設定する変更手段と、
を備えることを特徴とする請求項１に記載の患者用説明資料作成装置。
【請求項３】
前記設定手段は、前記患者情報に加えて、前記生成手段で生成された患者用説明資料を表示する表示画面の大きさに応じて、前記患者用説明資料の構成を設定することを特徴とする請求項１または２に記載の患者用説明資料作成装置。
【請求項４】
前記患者情報は、患者の氏名、性別、年齢、身長、体重および国籍のうちの少なくとも１つを含む患者の個人情報と、患者の集中力および理解力のうちの少なくとも１つを含む患者の性質情報と、患者の病状、既往歴、検査結果、診断結果、読影レポートおよび医用画像のうちの少なくとも１つを含む患者の診療情報のうち、少なくとも１つの情報を含むことを特徴とする請求項１乃至３のいずれか１項に記載の患者用説明資料作成装置。
【請求項５】
前記資料情報は、同意書の情報、クリニカルパスの情報、および、疾患ごとの解説資料の情報のうちの少なくとも１つの情報と、前記患者情報とを複合した情報であることを特徴とする請求項１乃至４のいずれか１項に記載の患者用説明資料作成装置。
【請求項６】
前記患者用説明資料の構成は、文字を大きくする構成、文字を読みやすいフォントに変える構成、コントラストをはっきりさせる構成、患者に強調して伝えたい部分を太文字または文字サイズを変える構成、検査結果画像を説明文内に挿入する構成、言語を変更する構成、漢字をひらがなに変更またはルビを付ける構成、説明文章の表示方法を変更する構成、および、やさしい印象を与えるフォントに変更する構成のうち、少なくとも１つの構成を含むことを特徴とする請求項１乃至５のいずれか１項に記載の患者用説明資料作成装置。
【請求項７】
前記患者情報は、前記患者の診療に係る患者の診療情報を少なくとも含み、
前記設定手段は、前記患者の診療情報に基づいて、前記患者用説明資料の構成として、文字を大きくする構成、文字を読みやすいフォントに変える構成、および、コントラストをはっきりさせる構成のうちの少なくとも１つの構成を設定することを特徴とする請求項１乃至３のいずれか１項に記載の患者用説明資料作成装置。
【請求項８】
前記患者情報は、前記患者の性質に係る患者の性質情報を少なくとも含み、
前記設定手段は、前記患者の性質情報に基づいて、前記患者用説明資料の構成として、患者に強調して伝えたい部分を太文字または文字サイズを変える構成、および、検査結果画像を説明文内に挿入する構成のうちの少なくとも１つの構成を設定することを特徴とする請求項１乃至３のいずれか１項に記載の患者用説明資料作成装置。
【請求項９】
前記患者情報は、前記患者を特定するための患者の個人情報を少なくとも含み、
前記設定手段は、前記患者の個人情報に基づいて、前記患者用説明資料の構成として、言語を変更する構成、漢字をひらがなに変更またはルビを付ける構成、説明文章の表示方法を変更する構成、および、やさしい印象を与えるフォントに変更する構成のうちの少なくとも１つの構成を設定することを特徴とする請求項１乃至３のいずれか１項に記載の患者用説明資料作成装置。
【請求項１０】
患者に説明するための資料を作成する患者用説明資料作成装置であって、
前記患者に係る患者情報を取得する患者情報取得手段と、
前記患者情報に基づいて、患者用説明資料の構成を設定する設定手段と、
を有することを特徴とする患者用説明資料作成装置。
【請求項１１】
患者に説明するための資料を作成する患者用説明資料作成装置による患者用説明資料作成方法であって、
前記患者に係る患者情報を取得する患者情報取得ステップと、
資料格納手段から、前記患者に係る資料の情報である資料情報を取得する資料情報取得ステップと、
前記患者情報に基づいて、患者用説明資料の構成を設定する設定ステップと、
前記資料情報および前記患者用説明資料の構成に基づいて、患者用説明資料を生成する生成ステップと、
を有することを特徴とする患者用説明資料作成方法。
【請求項１２】
前記設定ステップにおいて、
構成情報の入力に従って、前記資料情報に基づき患者用説明資料の構成を決定する決定ステップと、
前記患者情報に基づいて、前記決定ステップで決定した患者用説明資料の構成を変更して、当該変更後の患者用説明資料の構成を前記設定する変更ステップと、
を実行することを特徴とする請求項１１に記載の患者用説明資料作成方法。
【請求項１３】
前記設定ステップにおいて、前記患者情報に加えて、前記生成ステップで生成された患者用説明資料を表示する表示画面の大きさに応じて、前記患者用説明資料の構成を設定することを特徴とする請求項１１または１２に記載の患者用説明資料作成方法。
【請求項１４】
前記患者情報は、患者の氏名、性別、年齢、身長、体重および国籍のうちの少なくとも１つを含む患者の個人情報と、患者の集中力および理解力のうちの少なくとも１つを含む患者の性質情報と、患者の病状、既往歴、検査結果、診断結果、読影レポートおよび医用画像のうちの少なくとも１つを含む患者の診療情報のうち、少なくとも１つの情報を含むことを特徴とする請求項１１乃至１３のいずれか１項に記載の患者用説明資料作成方法。
【請求項１５】
前記資料情報は、同意書の情報、クリニカルパスの情報、および、疾患ごとの解説資料の情報のうちの少なくとも１つの情報と、前記患者情報とを複合した情報であることを特徴とする請求項１１乃至１４のいずれか１項に記載の患者用説明資料作成方法。
【請求項１６】
前記患者用説明資料の構成は、文字を大きくする構成、文字を読みやすいフォントに変える構成、コントラストをはっきりさせる構成、患者に強調して伝えたい部分を太文字または文字サイズを変える構成、検査結果画像を説明文内に挿入する構成、言語を変更する構成、漢字をひらがなに変更またはルビを付ける構成、説明文章の表示方法を変更する構成、および、やさしい印象を与えるフォントに変更する構成のうち、少なくとも１つの構成を含むことを特徴とする請求項１１乃至１５のいずれか１項に記載の患者用説明資料作成方法。
【請求項１７】
前記患者情報は、前記患者の診療に係る患者の診療情報を少なくとも含み、
前記設定ステップにおいて、前記患者の診療情報に基づいて、前記患者用説明資料の構成として、文字を大きくする構成、文字を読みやすいフォントに変える構成、および、コントラストをはっきりさせる構成のうちの少なくとも１つの構成を設定することを特徴とする請求項１１乃至１３のいずれか１項に記載の患者用説明資料作成方法。
【請求項１８】
前記患者情報は、前記患者の性質に係る患者の性質情報を少なくとも含み、
前記設定ステップにおいて、前記患者の性質情報に基づいて、前記患者用説明資料の構成として、患者に強調して伝えたい部分を太文字または文字サイズを変える構成、および、検査結果画像を説明文内に挿入する構成のうちの少なくとも１つの構成を設定することを特徴とする請求項１１乃至１３のいずれか１項に記載の患者用説明資料作成方法。
【請求項１９】
前記患者情報は、前記患者を特定するための患者の個人情報を少なくとも含み、
前記設定ステップにおいて、前記患者の個人情報に基づいて、前記患者用説明資料の構成として、言語を変更する構成、漢字をひらがなに変更またはルビを付ける構成、説明文章の表示方法を変更する構成、および、やさしい印象を与えるフォントに変更する構成のうちの少なくとも１つの構成を設定することを特徴とする請求項１１乃至１３のいずれか１項に記載の患者用説明資料作成方法。
【請求項２０】
患者に説明するための資料を作成する患者用説明資料作成装置による患者用説明資料作成方法であって、
前記患者に係る患者情報を取得する患者情報取得ステップと、
前記患者情報に基づいて、患者用説明資料の構成を設定する設定ステップと、
を有することを特徴とする患者用説明資料作成方法。
【請求項２１】
請求項１乃至１０のいずれか１項に記載の患者用説明資料作成装置の各手段としてコンピュータを機能させるためのプログラム。
【発明の詳細な説明】
【技術分野】
【０００１】
本発明は、患者に説明するための資料を作成する患者用説明資料作成装置及び患者用説明資料作成方法、並びに、患者用説明資料作成装置の各手段としてコンピュータを機能させるためのプログラムに関する。
【背景技術】
【０００２】
医療分野において、いわゆるインフォームドコンセントでは、医師による患者の疾患の説明や診断結果及び治療方針について説明が行われる。インフォームドコンセントの実施にあたり、医師は、患者の疾患に関する説明資料や、患者の医用画像、その他の検査結果等を用意する。そして、用意された資料に基づき、患者に対して説明を行う。
【０００３】
例えば、下記の特許文献１には、患者にとって分かり易い資料を作成するために、検査結果や診断結果をレポートに反映する技術が提案されている。
【先行技術文献】
【特許文献】
【０００４】
【特許文献１】特開２０１２−９４１２７号公報
【発明の概要】
【発明が解決しようとする課題】
【０００５】
ここで、患者の検査結果や診断結果の内容をレポートとして提示する際に、個々の患者にとって必ずしも見易いレポートであるとはいえなかった。例えば、視力が低下した患者の場合には、小さな文字で記述されたレポートは読みにくく、レポートの内容を理解するのは難しい。また、例えば、色覚異常の患者の場合には、コントラストがはっきりしないレポート等については、文字や紙面の色が見えにくく、やはりレポートの内容を理解するのは難しい。単に検査結果や診断結果の内容を元にして作成したレポートでは、患者の十分な理解を得ることは困難である。
【０００６】
本発明は、このような問題点に鑑みてなされたものであり、医師の作業負荷を増大させることなく、個々の患者にとって見易く且つ理解し易い患者用説明資料を作成する仕組みを提供することを目的とする。
【課題を解決するための手段】
【０００７】
本発明の患者用説明資料作成装置は、患者に説明するための資料を作成する患者用説明資料作成装置であって、前記患者に係る患者情報を取得する患者情報取得手段と、資料格納手段から、前記患者に係る資料の情報である資料情報を取得する資料情報取得手段と、前記患者情報に基づいて、患者用説明資料の構成を設定する設定手段と、前記資料情報および前記患者用説明資料の構成に基づいて、患者用説明資料を生成する生成手段と、を有する。
本発明の患者用説明資料作成装置における他の態様は、患者に説明するための資料を作成する患者用説明資料作成装置であって、前記患者に係る患者情報を取得する患者情報取得手段と、前記患者情報に基づいて、患者用説明資料の構成を設定する設定手段と、を有する。
また、本発明は、上述した患者用説明資料作成装置による患者用説明資料作成方法、及び、上述した患者用説明資料作成装置の各手段としてコンピュータを機能させるためのプログラムを含む。
【発明の効果】
【０００８】
本発明によれば、医師の作業負荷を増大させることなく、個々の患者にとって見易く且つ理解し易い患者用説明資料を作成することができる。
【図面の簡単な説明】
【０００９】
【図１】本発明の第１の実施形態に係る患者用説明資料作成装置を含む患者用説明資料作成システムの概略構成の一例を示す図である。
【図２】本発明の第１の実施形態に係る患者用説明資料作成装置の機能構成の一例を示す図である。
【図３】本発明の第１の実施形態に係る患者用説明資料作成装置のサーバ装置による患者用説明資料作成方法の処理手順の一例を示すフローチャートである。
【図４】本発明の第１の実施形態に係る患者用説明資料作成装置のクライアント装置側の処理手順の一例を示すフローチャートである。
【図５】本発明の第１の実施形態に係る患者用説明資料作成装置のサーバ装置において、資料の選定処理（推定処理）の一例を示すフローチャートである。
【図６】本発明の第１の実施形態を示し、患者用説明資料を説明するための図である。
【図７】本発明の第１の実施形態を示し、患者用説明資料の構成変更の一例を示す図である。
【図８】本発明の第２の実施形態を示し、図２の資料選定手段において資料の選定処理を行う際の一例を示す図である。
【発明を実施するための形態】
【００１０】
以下に、図面を参照しながら、本発明を実施するための形態（実施形態）について説明する。
【００１１】
（第１の実施形態）
図１は、本発明の第１の実施形態に係る患者用説明資料作成装置を含む患者用説明資料作成システム１００の概略構成の一例を示す図である。
【００１２】
図１において、撮影装置（モダリティ）１０１は、被検体（患者）の検査対象部位を撮影することにより、その部位を２次元もしくは３次元で表した画像データ（医用画像データ）を生成する。撮影装置１０１には、生成した医用画像データにＤＩＣＯＭ規格で規定された付帯情報を付加し、これを医用画像情報として出力する機能も含まれる。なお、医用画像データの中には医用画像に付随するテキスト情報が含まれていてもよい。
【００１３】
画像品質確認用装置１０２は、放射線科医等が読影をする際に、医用画像を確認するための高解像度のディスプレイを含む装置である。なお、画像品質確認用装置１０２は、例えば、携帯情報端末（ＰＤＡ）等の移動可能な装置であってもよい。
【００１４】
放射線科医用ワークステーション１０３は、放射線科医が医用画像の読影や読影レポートの作成に利用する装置である。この放射線科医用ワークステーション１０３は、管理サーバ１０３ａと、表示ディスプレイ１０３ｂを有して構成されている。この放射線科医用ワークステーション１０３では、画像情報管理サーバ１０５からの医用画像の閲覧要求や、受信画像の表示、医用画像内で病変と特定され得る箇所の自動検出・強調表示が行われる。また、放射線科医用ワークステーション１０３では、読影レポートの作成の支援として、読影レポート管理サーバ１０７からの読影レポートの登録要求や閲覧要求、受信した読影レポートの表示等も行われる。
【００１５】
診察医用ワークステーション１０４は、患者の診断時に、患者情報や診断結果などを記録した電子カルテ情報を作成し、当該電子カルテ情報を、ネットワーク１２４を介して電子カルテ情報管理サーバ１０９に送信する。また、電子カルテ情報を電子カルテ情報データベース１１０へ登録することで、診察医用ワークステーション１０４は、ネットワーク１２４を介して当該電子カルテ情報を閲覧・確認が可能になる。この診察医用ワークステーション１０４は、管理サーバ１０４ａと、表示ディスプレイ１０４ｂを有して構成されている。
【００１６】
画像情報管理サーバ１０５は、データベース管理システム（ＤＢＭＳ）の機能を提供するソフトウェアプログラムが組み込まれた装置である。この画像情報管理サーバ１０５は、患者用説明資料作成システム１００の各データベースに対応して設けられた管理サーバとデータパスによって接続された大容量のハードディスク装置、または、ネットワーク１２４に接続されたディスク装置であってもよい。ここで、画像情報管理サーバ１０５は、医用画像データにＤＩＣＯＭ規格で規定された付帯情報が付加された医用画像情報を画像情報データベース１０６に登録する。
【００１７】
画像情報データベース１０６は、医用画像データに付帯情報が付加された医用画像情報を登録する。ここで、付帯情報は、個々の医用画像データを識別する画像ＩＤや、被写体である患者を識別する患者ＩＤ、その他、検査日時等の医用画像データに関する情報全般を含む。
【００１８】
読影レポート管理サーバ１０７は、データベース管理システム（ＤＢＭＳ）の機能を提供するソフトウェアプログラムが組み込まれた装置である。この読影レポート管理サーバ１０７は、患者用説明資料作成システム１００の各データベースに対応して設けられた管理サーバとデータパスによって接続された大容量のハードディスク装置、または、ネットワーク１２４に接続されたディスク装置であってもよい。ここで、読影レポート管理サーバ１０７は、放射線科医用ワークステーション１０３からの読影レポートの登録要求を受け付け、当該患者の読影レポートをデータベース用のフォーマットに揃えて読影レポートデータベース１０８に登録する。
【００１９】
読影レポートデータベース１０８は、各患者の読影レポートを登録する。ここで、読影レポートは、読影医氏名や、読影画像、所見等の読影に関する情報全般を含む。
【００２０】
電子カルテ情報管理サーバ１０９は、データベース管理システム（ＤＢＭＳ）の機能を提供するソフトウェアプログラムが組み込まれた装置である。この電子カルテ情報管理サーバ１０９は、患者用説明資料作成システム１００の各データベースに対応して設けられた管理サーバとデータパスによって接続された大容量のハードディスク装置、または、ネットワーク１２４に接続されたディスク装置であってもよい。ここで、電子カルテ情報管理サーバ１０９は、診察医用ワークステーション１０４で作成された電子カルテ情報を電子カルテ情報データベース１１０に登録する。
【００２１】
電子カルテ情報データベース１１０は、電子カルテ情報を登録する。ここで、電子カルテ情報は、患者の個人情報として、氏名、性別、年齢、身長、体重、国籍等を含み、患者の医療情報として、患者の病状、既往歴、検査結果、診断結果、読影レポート、医用画像等の患者に関する院内にある情報全般を含む。
【００２２】
検査結果情報管理サーバ１１１は、データベース管理システム（ＤＢＭＳ）の機能を提供するソフトウェアプログラムが組み込まれた装置である。この検査結果情報管理サーバ１１１は、患者用説明資料作成システム１００の各データベースに対応して設けられた管理サーバとデータパスによって接続された大容量のハードディスク装置、または、ネットワーク１２４に接続されたディスク装置であってもよい。ここで、検査結果情報管理サーバ１１１は、当該患者の血液検査や尿検査等の検査結果情報をデータベース用のフォーマットに揃えて検査結果情報データベース１１２に登録する。
【００２３】
検査結果情報データベース１１２は、各患者の検査結果情報を登録する。ここで、検査結果情報は、血液検査、尿検査、生検、染色体検査、遺伝子検査等の患者に関する院内にある検査結果全般を含む。
【００２４】
インフォームドコンセント資料管理サーバ１１３は、データベース管理システム（ＤＢＭＳ）の機能を提供するソフトウェアプログラムが組み込まれた装置である。このインフォームドコンセント資料管理サーバ１１３は、患者用説明資料作成システム１００の各データベースに対応して設けられた管理サーバとデータパスによって接続された大容量のハードディスク装置、または、ネットワーク１２４に接続されたディスク装置であってもよい。ここで、インフォームドコンセント資料管理サーバ１１３は、病名や癌のステージ等の各疾患で特徴になる項目で分類されたインフォームドコンセント資料をインフォームドコンセント資料データベース１１４に登録する。
【００２５】
インフォームドコンセント資料データベース１１４は、インフォームドコンセント資料を登録する。インフォームドコンセント資料は、同意書として、手術同意書、麻酔同意書、入院同意書、輸血同意書等を含み、また、患者に治療計画を伝達するためのクリニカルパス等の文書情報を少なくとも含む。
【００２６】
医療説明資料管理サーバ１１５は、データベース管理システム（ＤＢＭＳ）の機能を提供するソフトウェアプログラムが組み込まれた装置である。この医療説明資料管理サーバ１１５は、患者用説明資料作成システム１００の各データベースに対応して設けられた管理サーバとデータパスによって接続された大容量のハードディスク装置、または、ネットワーク１２４に接続されたディスク装置であってもよい。ここで、医療説明資料管理サーバ１１５は、病名や癌のステージ毎の医療説明資料をデータベース用のフォーマットに揃えて医療説明資料データベース１１６に登録する。
【００２７】
医療説明資料データベース１１６は、病名や癌のステージに対応してそれぞれの疾患の説明が示されている医療説明資料を登録する。ここで、医療説明資料は、例えば、疾患の一般的知識や、主な症状、治療方法、治療による効果、治療に使用する薬と副作用等の情報を含む。さらに、医療説明資料は、上述の情報に加えて、説明に付随するイラスト、画像、動画、音声等の患者への説明に関する情報全般を含む。
【００２８】
ユーザ認証管理サーバ１１７は、データベース管理システム（ＤＢＭＳ）の機能を提供するソフトウェアプログラムが組み込まれた装置である。このユーザ認証管理サーバ１１７は、患者用説明資料作成システム１００の各データベースに対応して設けられた管理サーバとデータパスによって接続された大容量のハードディスク装置、または、ネットワーク１２４に接続されたディスク装置であってもよい。ここで、ユーザ認証管理サーバ１１７で行うユーザ認証で用いる患者ＩＤや患者パスワード等のユーザ認証情報は、ネットワーク１２４に接続された医療従事者用の任意の端末（不図示）からの入力に従って、登録や変更、削除等が可能となっている。また、ユーザ認証管理サーバ１１７は、医療従事者用の任意の端末（不図示）からの登録変更要求を受け付けると、ユーザ管理データベース１１８に、患者ＩＤと患者パスワード等を対応付けたユーザ認証情報の登録変更を行う。
【００２９】
ユーザ管理データベース１１８は、患者ＩＤと患者パスワードを少なくとも含むユーザ認証情報を登録する。
【００３０】
患者用説明資料管理サーバ１１９は、データベース管理システム（ＤＢＭＳ）の機能を提供するソフトウェアプログラムが組み込まれた装置である。この患者用説明資料管理サーバ１１９は、患者用説明資料作成システム１００の各データベースに対応して設けられた管理サーバとデータパスによって接続された大容量のハードディスク装置、または、ネットワーク１２４に接続されたディスク装置であってもよい。ここで、患者用説明資料管理サーバ１１９は、患者用説明資料作成ワークステーション（以降、「患者用説明資料作成装置」と称する）１２３で作成された患者用説明資料を患者用説明資料データベース１２０に登録する。
【００３１】
患者用説明資料データベース１２０は、患者用説明資料作成装置１２３において作成された患者用説明資料を登録する。ここで、患者用説明資料には、音声や画像、動画等も含まれる。
【００３２】
印刷装置１２１は、印刷を行う装置である。ここで、印刷装置１２１は、患者用説明資料データベース１２０に登録されている患者用説明資料の中から指定された患者用説明資料を紙に印刷して出力する。
【００３３】
患者用説明資料確認用装置１２２は、医師や患者等が患者用説明資料を参照するのに利用する装置である。この患者用説明資料確認用装置１２２は、例えば、ディスプレイとキーボード・マウス等の入力機器を備えるコンピュータで構成されているものとするが、ノート型コンピュータや携帯情報端末（ＰＤＡ）等の移動可能な装置であってもよい。
【００３４】
患者用説明資料作成装置１２３は、クライアント装置１２３ａと、サーバ装置１２３ｂを備えて構成されている。この患者用説明資料作成装置１２３は、医師が患者に説明するための説明資料及びそのレイアウトを個々の患者に対してカスタマイズする機能を提供するソフトウェアプログラムが組み込まれた装置である。この患者用説明資料作成装置１２３は、ネットワーク１２４に接続されているため、ネットワーク１２４上にある各サーバから必要な情報等を取得する。そして、患者用説明資料作成装置１２３は、取得した情報等に基づいて、該当する患者の患者用説明資料を自動生成し、患者用説明資料管理サーバ１１９に送信する。なお、患者用資料を自動生成するための環境は、診察医用ワークステーション１０４であってもよい。
【００３５】
ネットワーク１２４は、撮影装置１０１、画像品質確認用装置１０２、放射線科医用ワークステーション１０３、診察医用ワークステーション１０４、画像情報管理サーバ１０５、読影レポート管理サーバ１０７、電子カルテ情報管理サーバ１０９、検査結果情報管理サーバ１１１、インフォームドコンセント資料管理サーバ１１３、医療説明資料管理サーバ１１５、ユーザ認証管理サーバ１１７、患者用説明資料管理サーバ１１９、印刷装置１２１、患者用説明資料確認用装置１２２、及び、患者用説明資料作成装置１２３を相互に通信可能に接続する。
【００３６】
また、患者用説明資料作成システム１００の各装置の動作を制御するプログラムは、ネットワーク１２４を経由して接続されたサーバ等からダウンロードされた後にインストールされたものであってもよい。
【００３７】
図２は、本発明の第１の実施形態に係る患者用説明資料作成装置１２３の機能構成の一例を示す図である。具体的に、図２には、患者用説明資料作成装置１２３のうち、サーバ装置１２３ｂの機能構成の一例が示されている。
【００３８】
図２において、電子カルテ情報データベース１１０、画像情報データベース１０６、検査結果情報データベース１１２、及び、読影レポートデータベース１０８は、各患者の医療情報を格納する医療情報格納手段２０１を構成する。
また、インフォームドコンセント資料データベース１１４、及び、医療説明資料データベース１１６は、患者用説明資料作成装置１２３で患者用説明資料を作成する際の基となる資料を格納する資料格納手段２０２を構成する。
【００３９】
図２に示すように、患者用説明資料作成装置１２３のサーバ装置１２３ｂは、患者情報取得手段２１１、患者情報記憶手段２１２、資料選定手段２１３、資料情報取得手段２１４、資料情報記憶手段２１５、構成決定手段２１６、構成情報記憶手段２１７、構成変更手段２１８、構成変更情報記憶手段２１９、患者用説明資料生成手段２２０、及び、出力制御手段２２１の各機能構成を備えている。
【００４０】
患者情報取得手段２１１は、クライアント装置１２３ａによる患者の選択処理に従って、医療情報格納手段２０１から、当該患者に係る医療情報を患者情報として取得する処理を行う。
【００４１】
患者情報記憶手段２１２は、患者情報取得手段２１１で取得した患者情報を記憶する。
【００４２】
資料選定手段２１３は、患者情報取得手段２１１で取得した患者情報に基づいて、資料格納手段２０２から、当該患者に係る資料を選定する処理を行う。
【００４３】
資料情報取得手段２１４は、資料格納手段２０２から、資料選定手段２１３で選定された資料に係る資料情報を取得する処理を行う。この際、資料情報には、インフォームドコンセント用の資料である同意書の情報やクリニカルパスの情報、医療説明用の資料である疾患ごとの解説資料の情報が文書構造として含まれており、資料情報は、これらの情報と患者情報とを複合した情報である。なお、本実施形態においては、資料情報は、同意書の情報、クリニカルパスの情報、及び、疾患ごとの解説資料の情報のうちの少なくとも１つの情報と、患者情報とを複合した情報であってもよい。
【００４４】
資料情報記憶手段２１５は、資料情報取得手段２１４で取得した資料情報を記憶する。
【００４５】
構成決定手段２１６は、クライアント装置１２３ａによる構成情報の入力処理に従って、資料情報取得手段２１４で取得した資料情報に基づき、患者用説明資料の構成を決定する処理を行う。
【００４６】
構成情報記憶手段２１７は、構成決定手段２１６で決定した患者用説明資料の構成に係る構成情報を記憶する。
【００４７】
構成変更手段２１８は、患者情報取得手段２１１で取得した患者情報に基づいて、構成決定手段２１６で決定した患者用説明資料の構成を変更する処理を行う。この構成変更手段２１８は、患者情報取得手段２１１で取得した患者情報に含まれる患者属性情報の一例である対象患者の病状や状態や所見等を考慮して患者用説明資料の構成を変更する。具体的に、構成変更手段２１８は、例えば、図７に示すように、文字を拡大する変更や、色を反転する変更、言語を変換する変更等を行う。
【００４８】
構成変更情報記憶手段２１９は、構成変更手段２１８によりなされた患者用説明資料の構成の変更に係る構成変更情報を記憶する。
【００４９】
ここで、構成決定手段２１６及び構成変更手段２１８は、患者情報取得手段２１１で取得した患者情報に基づいて患者用説明資料の構成を設定する構成設定手段を構成する。この際、構成変更手段２１８は、変更後の患者用説明資料の構成を患者用説明資料の構成として設定する。また、この場合、構成情報記憶手段２１７及び構成変更情報記憶手段２１９は、構成設定手段によりなされた患者用説明資料の構成の設定に係る構成設定情報を記憶する構成設定情報記憶手段を構成する。
【００５０】
患者用説明資料生成手段２２０は、資料情報取得手段２１４で取得した資料情報、並びに、構成決定手段２１６により得られた構成情報及び構成変更手段２１８により得られた構成変更情報（即ち構成設定手段により得られた構成設定情報）に基づいて、患者用説明資料を生成する処理を行う。これにより、対象患者用にカスタマイズされた患者用説明資料が生成される。その後、患者用説明資料生成手段２２０は、生成した患者用説明資料を患者用説明資料データベース１２０に登録する。
【００５１】
出力制御手段２２１は、クライアント装置１２３ａによる患者用説明資料の出力指示に従って、患者用説明資料データベース１２０に登録された患者用説明資料を患者用説明資料確認用装置１２２や印刷装置１２１に出力する制御を行う。そして、患者用説明資料確認用装置１２２において患者用説明資料を表示したり、印刷装置１２１において患者用説明資料を紙に印刷したりすることにより、医師及び患者等は、患者用説明資料を確認することができる。
【００５２】
ここで、医療情報格納手段２０１に格納されている医療情報は、電子カルテ情報（ＥＭＲ）や、画像保存通信システム（ＰＡＣＳ）による画像情報、病院情報システム（ＨＩＳ）による病院情報、放射線科情報システム（ＲＩＳ）による放射線科情報等の病院内にある情報端末装置全般に蓄えられている情報を含む。
【００５３】
また、患者情報取得手段２１１で取得する患者情報は、患者の個人情報として、患者の氏名、性別、年齢、身長、体重、国籍等の情報を含み、患者の性質情報として、患者の集中力、理解力等の情報を含み、患者の診療情報として、患者の病状、既往歴、検査結果、診断結果、読影レポート、医用画像等の院内にある患者の診療に関する情報全般を含む。即ち、患者情報取得手段２１１で取得する患者情報は、患者の属性情報を含む。なお、本実施形態においては、患者情報取得手段２１１で取得する患者情報は、患者の氏名、性別、年齢、身長、体重及び国籍のうちの少なくとも１つを含む患者の個人情報と、患者の集中力及び理解力のうちの少なくとも１つを含む患者の性質情報と、患者の病状、既往歴、検査結果、診断結果、読影レポート及び医用画像のうちの少なくとも１つを含む患者の診療情報のうち、少なくとも１つの情報を含むものであってもよい。
【００５４】
構成決定手段２１６は、資料情報取得手段２１４で取得した資料情報に基づき、対象患者に係る患者用説明資料の構成を決定する処理を行う。具体的に、構成決定手段２１６は、患者用説明資料の構成の決定方法として、クライアント装置１２３ａを介した医師等のユーザによる構成情報の入力に従って決定する方法が一例として挙げられる。このクライアント装置１２３ａを介した医師等のユーザによる構成情報の入力は、後述する図４のステップＳ４０２の処理に該当する。
【００５５】
例えば、医師等によって説明優先度が高い情報の入力がされた場合、構成決定手段２１６は、資料情報に含まれる医療説明資料の情報内にある、該当する説明優先度が高い項目を患者用説明資料の先頭に配置する。また、医師等によって検査等の日程が近づいている情報の入力がされた場合、構成決定手段２１６は、資料情報に含まれる医療説明資料の情報内にある、該当する項目を患者用説明資料の先頭に配置する。また、医師等によって患者のクリニカルパスの情報の入力がされた場合、構成決定手段２１６は、資料情報に含まれる医療説明資料の情報内にある、クリニカルパスに相当する該当項目を並び変える等が挙げられる。
【００５６】
また、例えば、クライアント装置１２３ａを介した医師等のユーザによる構成情報の入力が患者の家族やキーパーソンへの説明資料である旨の情報の入力である場合に、構成決定手段２１６は、開示を希望しない情報を患者用説明資料から除外する。
【００５７】
また、例えば、クライアント装置１２３ａを介した医師等のユーザによる構成情報の入力が説明レベルを設定したい患者である旨の情報の入力である場合に、構成決定手段２１６は、説明レベルに応じた患者用説明資料の構成を決定する処理を行う。例えば、構成決定手段２１６は、専門的内容を正確に理解できる患者については高度な説明（専門用語を入れた説明）を行う患者用説明資料の構成とし、また、専門的内容を理解できない患者については平易な説明（専門用語をわかりやすく解説した説明）を行う患者用説明資料の構成とする。
【００５８】
また、例えば、クライアント装置１２３ａを介した医師等のユーザによる構成情報の入力が患者のメンタル状況の情報の入力である場合に、構成決定手段２１６は、当該メンタル状況に合わせてインフォームドコンセント当日に伝えるべきではない情報を患者用説明資料から除外する。
【００５９】
このように、本実施形態では、クライアント装置１２３ａを介した医師等のユーザによる構成情報の入力に従って患者用説明資料の構成を決定するようにしているが、例えば、クライアント装置１２３ａからの入力に依らずに例えば患者情報取得手段２１１で取得した患者情報を考慮して自動で患者用説明資料の構成を決定するようにしてもよい。
【００６０】
構成変更手段２１８は、例えば、患者情報取得手段２１１で取得した患者情報に含まれる患者属性情報に基づいて、構成決定手段２１６で決定した患者用説明資料の構成を変更する処理を行う。具体的に、構成変更手段２１８は、患者情報取得手段２１１で取得した患者情報に含まれる患者属性情報の一例である対象患者の病状や状態や所見等の情報に基づいて、構成決定手段２１６で決定した患者用説明資料の構成を変更する処理を行う。例えば、構成変更手段２１８は、図７に示すように、文字を拡大する変更や、色を反転する変更、言語を変換する変更等を行う。さらに、構成変更手段２１８は、患者情報取得手段２１１で取得した患者情報に基づいて、これらの変更を複合して行う。
【００６１】
さらに、構成変更手段２１８は、図１に示す患者用説明資料確認用装置１２２の表示画面の大きさに合わせて、構成決定手段２１６で決定した患者用説明資料の構成を変更する処理も行う。具体的に、構成変更手段２１８は、図１に示す患者用説明資料確認用装置１２２の表示画面の一画面以内に収まるように、構成決定手段２１６で決定した患者用説明資料の構成を変更する処理も行う。
【００６２】
図３は、本発明の第１の実施形態に係る患者用説明資料作成装置１２３のサーバ装置１２３ｂによる患者用説明資料作成方法の処理手順の一例を示すフローチャートである。
【００６３】
まず、ステップＳ３０１において、患者情報取得手段２１１は、クライアント装置１２３ａによる患者の選択処理に従って、医療情報格納手段２０１から、当該患者に係る医療情報を患者情報として取得する処理を行う。その後、患者情報取得手段２１１は、取得した患者情報を患者情報記憶手段２１２に記憶する。
【００６４】
続いて、ステップＳ３０２において、例えば資料選定手段２１３は、ステップＳ３０１で取得された患者情報に基づいて、資料格納手段２０２に当該患者に係る資料が存在するか否かを判断する。具体的に、ステップＳ３０２では、資料格納手段２０２に、インフォームドコンセントにおいて当該患者が必要とする資料が存在するか否かを判断する。
【００６５】
ステップＳ３０２の判断の結果、資料格納手段２０２に当該患者に係る資料が存在する場合には（具体的にインフォームドコンセントにおいて当該患者が必要とする資料が存在する場合には）、ステップＳ３０３に進む。
ステップＳ３０３に進むと、資料選定手段２１３は、資料格納手段２０２から、当該患者に係る資料（具体的にインフォームドコンセントにおいて当該患者が必要となる資料）を選定する処理を行う。
【００６６】
一方、ステップＳ３０２の判断の結果、資料格納手段２０２に当該患者に係る資料が存在しない場合には（具体的にインフォームドコンセントにおいて当該患者が必要とする資料が存在しない場合には）、ステップＳ３０４に進む。
ステップＳ３０４に進むと、資料選定手段２１３は、関連情報を設定した後、続いて、ステップＳ３０５において、例えば資料選定手段２１３は、設定した関連情報に基づいて当該患者に必要な資料を推定する処理を行う（類似する資料を選定する）。具体的に、資料選定手段２１３は、例えば、当該患者の検査結果が出ていなく病名や癌のステージ等が特定できていない場合には、医師の所見から推測される病名や癌のステージ等の関連情報をステップＳ３０４で設定し、その関連情報に準じた資料をステップＳ３０５で推定する。また、資料選定手段２１３は、例えば、合併症を特定できない場合には、病名の関連情報をステップＳ３０４で設定し、病名から推測される各合併症の資料をステップＳ３０５で推定する。
【００６７】
ステップＳ３０３の処理が終了した場合、或いは、ステップＳ３０５の処理が終了した場合には、ステップＳ３０６に進む。
ステップＳ３０６に進むと、資料情報取得手段２１４は、資料格納手段２０２から、資料選定手段２１３で選定（或いは推定）された資料に係る資料情報を取得する処理を行う。その後、資料情報取得手段２１４は、取得した資料情報を資料情報記憶手段２１５に記憶する。例えば、資料情報としては、対象患者が必要とする疾患の一般的知識やその治療方針等が文書情報として記憶される。
【００６８】
続いて、ステップＳ３０７において、構成決定手段２１６は、クライアント装置１２３ａによる構成情報の入力処理に従って、ステップＳ３０６で取得された資料情報に基づき、患者用説明資料の構成を決定する処理を行う。その後、構成決定手段２１６は、決定した患者用説明資料の構成に係る構成情報を構成情報記憶手段２１７に記憶する。
【００６９】
続いて、ステップＳ３０８において、構成変更手段２１８は、ステップＳ３０１で取得された患者情報に基づいて、ステップＳ３０７で決定された患者用説明資料の構成を変更する処理を行う。その後、構成変更手段２１８は、患者用説明資料の構成の変更に係る構成変更情報を構成変更情報記憶手段２１９に記憶する。
【００７０】
続いて、ステップＳ３０９において、患者用説明資料生成手段２２０は、ステップＳ３０６で取得された資料情報、並びに、ステップＳ３０７の処理で得られた構成情報及びステップＳ３０８の処理で得られた構成変更情報に基づいて、患者用説明資料を生成する処理を行う。その後、患者用説明資料生成手段２２０は、生成した患者用説明資料を患者用説明資料データベース１２０に登録する。
【００７１】
続いて、ステップＳ３１０において、出力制御手段２２１は、クライアント装置１２３ａによる患者用説明資料の出力指示に従って、生成した患者用説明資料を患者用説明資料確認用装置１２２や印刷装置１２１に出力する制御を行う。
【００７２】
ステップＳ３１０の処理が終了すると、図３のフローチャートの処理が終了する。
【００７３】
図４は、本発明の第１の実施形態に係る患者用説明資料作成装置１２３のクライアント装置１２３ａ側の処理手順の一例を示すフローチャートである。
【００７４】
医師等のユーザが患者用説明資料を作成する対象になる患者を患者選択フォームから選択すると、ステップＳ４０１において、クライアント装置１２３ａは、当該患者を選択する処理を行う。ここで、患者選択フォームには、患者ＩＤや患者氏名等の患者を特定できる情報を入力することができるようになっている。そして、クライアント装置１２３ａは、当該クライアント装置１２３ａに組み込まれたプログラムによって、図１に示すユーザ認証管理サーバ１１７に患者情報を問い合わせてユーザ認証を行う。ユーザ認証が行われると、クライアント装置１２３ａは、当該患者の選択処理をサーバ装置１２３ｂに通知し、これを受けたサーバ装置１２３ｂでは、当該患者に係る患者情報の取得を始めとして、図３のステップＳ３０１〜Ｓ３０６の処理が行われる。
【００７５】
医師等のユーザが構成調整フォームを用いて当該患者の患者用説明資料の構成を設定すると、ステップＳ４０２において、クライアント装置１２３ａは、設定された患者用説明資料の構成に係る構成情報をサーバ装置１２３ｂに入力する処理を行う。これを受けたサーバ装置１２３ｂでは、原則として、図３のステップＳ３０７〜Ｓ３０９の処理が行われる。ここで、構成調整フォームには、医師が患者に対して説明する際に説明優先度が高いと判断した項目（情報）を指示するためのチェックボックス等が設けられている。この構成調整フォームは、基本的に医師が患者用説明資料の構成（文書構造）を個別に設定する時に用いられるが、設定しないことがあってもよい。
【００７６】
サーバ装置１２３ｂ側では、図３のステップＳ３０８において、患者情報に基づいて患者の病状や状態等に合わせた患者用説明資料の構成の変更を自動で行う。しかしながら、医師や患者が手動で患者用説明資料の構成を選定したい場合には、医師や患者が構成選定フォームを用いて患者用説明資料の構成を選定することになる。この場合、ステップＳ４０３において、クライアント装置１２３ａは、医師や患者により患者用説明資料の構成が選定された旨をサーバ装置１２３ｂに通知し、これを受けたサーバ装置１２３ｂでは、図３のステップＳ３０８において当該選定された患者用説明資料の構成に変更する処理を行うことになる。
【００７７】
その後、医師等のユーザが患者用説明資料の出力指示を行うと、ステップＳ４０４において、クライアント装置１２３ａは、その旨をサーバ装置１２３ｂに通知する。これを受けたサーバ装置１２３ｂでは、図３のステップＳ３１０において患者用説明資料を患者用説明資料確認用装置１２２や印刷装置１２１に出力する制御を行う。そして、患者用説明資料確認用装置１２２において患者用説明資料を表示したり、印刷装置１２１において患者用説明資料を紙に印刷したりすることにより、医師及び患者等は、患者用説明資料を確認することができる。
【００７８】
ステップＳ４０４の処理が終了すると、図４のフローチャートの処理が終了する。
【００７９】
図５は、本発明の第１の実施形態に係る患者用説明資料作成装置１２３のサーバ装置１２３ｂにおいて、資料の選定処理（推定処理）の一例を示すフローチャートである。
【００８０】
本来、医師は、個々の患者の診断やインフォームドコンセントごとに、患者用説明資料の文書やテンプレートを探す必要がある。そのため、膨大な資料の中から必要な資料を見つけるのに時間がかかるという課題がある。さらに、患者に合わせた資料を作成するのにも時間がかかり、書類作成業務の負担が大きい。そこで、本実施形態では、図５に示す例のように、医師の書類作成業務の軽減を目的とし、患者用説明資料作成装置１２３のサーバ装置１２３ｂにおいて資料を自動で収集して選定（推定）する。資料の自動収集には、疾患の種類や癌のステージ、各合併症等で必要な資料を収集する。ここでは、治療のガイドラインとして存在する診断アルゴリズム、治療アルゴリズム、画像診断等を用いることで、疾患ごとに特化して資料を自動収集することが可能である。図５には、乳癌のステージに応じて資料を自動収集して選定（推定）する例が示されている。
【００８１】
まず、ステップＳ５０１において、資料選定手段２１３は、乳癌のステージが初期であるか否かを判断する。
この判断の結果、乳癌のステージが初期である場合には、ステップＳ５０２に進む。
ステップＳ５０２に進むと、資料選定手段２１３は、手術に関する資料を選定する。その後、必要に応じて、ステップＳ５０４において、資料選定手段２１３は、薬物療法に関する資料を選定した後、図５のフローチャートの処理を終了する。
【００８２】
一方、ステップＳ５０１の判断の結果、乳癌のステージが初期でない場合には、ステップＳ５０３に進む。
ステップＳ５０３に進むと、資料選定手段２１３は、乳癌のステージが中期であるか否かを判断する。
この判断の結果、乳癌のステージが中期である場合には、ステップＳ５０４に進む。
ステップＳ５０４に進むと、資料選定手段２１３は、薬物療法に関する資料を選定する。その後、図５のフローチャートの処理を終了する。
【００８３】
一方、ステップＳ５０３の判断の結果、乳癌のステージが中期でない（末期である）場合には、ステップＳ５０５に進む。
ステップＳ５０５に進むと、資料選定手段２１３は、化学療法やホルモン療法、放射線療法等に関する資料を選定する。その後、図５のフローチャートの処理を終了する。
【００８４】
具体的に、乳癌患者の場合、病期Ｉの患者は初期の患者なので、乳房温存手術や乳房切
除術に関する資料を選定する。また、病期IVの患者は末期の患者なので、化学療法やホルモン療法、放射線療法等に関する資料を選定し、さらに、在宅医療に関する資料も選定する。このようにして、本実施形態では、患者が必要とする資料を一括して選定する。
【００８５】
図６は、本発明の第１の実施形態を示し、患者用説明資料を説明するための図である。
図６（ａ）には、図５に示すフローチャートに対応した資料６０１が示されている。具体的に、図５の乳癌のステージが初期の場合が、図６（ａ）のＩ期、IIＡ期、IIＢ期、IIIＡ期の場合に相当し、図５の乳癌のステージが中期の場合が、図６（ａ）のIIIＢ期、IIIＣ期の場合に相当する。例えば、病期IIＢの乳癌と診断された患者は、手術に関する資料が必要になる。そのため、本実施形態に係る患者用説明資料作成装置１２３では、図３のステップＳ３０３において、例えば、「乳房温存手術」と「乳房切除術」、及び、「薬物療法」についての資料を選定する。
【００８６】
その後、図３のステップＳ３０７における患者用説明資料の構成の決定により、図６（ｂ）に示す資料６０２のように、患者用説明資料の要素が確定する。資料６０２には、図３のステップＳ３０１の処理で取得された患者情報に含まれる要素６０３〜６０７が示されている。また、要素６０８には、例えば図３のステップＳ３０６の処理で取得された資料情報（当該患者がインフォームドコンセントで必要とする資料の情報）が示されている。
【００８７】
そして、患者が色覚異常者で且つ老眼の場合には、図３のステップＳ３０８における患者用説明資料の構成変更により、図６（ｃ）に示す資料６０９のように、文字が大きく且つコントラストが調整された資料の構成となる。そして、ステップＳ３０９の処理により、図６（ｃ）に示す患者用説明資料６０９が生成される。
【００８８】
図７は、本発明の第１の実施形態を示し、患者用説明資料の構成変更の一例を示す図である。
図７（ａ）には、各種の患者用説明資料７０１〜７０６が示されている。また、図７（ｂ）には、図７（ａ）に示す各種の患者用説明資料７０１〜７０６に対応した表が示されている。
【００８９】
具体的に、患者用説明資料７０１は、視力障害があり小さな文字を読みにくい患者の場合に、文字を大きくし、且つ、読みやすいフォントに変更した患者用説明資料の構成が示されている。即ち、患者用説明資料７０１は、図７（ｂ）に示すように、患者情報が、患者の診療情報の一種である視力障害の情報の場合に、患者用説明資料の構成として、文字を大きくする構成や文字を読みやすいフォントに変える構成を採用したものである。
患者用説明資料７０２は、色覚障害があり色の区別がつきづらい患者の場合に、コントラストをはっきりさせる変更を行った患者用説明資料の構成が示されている。即ち、患者用説明資料７０２は、図７（ｂ）に示すように、患者情報が、患者の診療情報の一種である色覚障害の情報の場合に、患者用説明資料の構成として、コントラストをはっきりさせる構成を採用したものである。
患者用説明資料７０３は、医師が強調して伝えたい部分がある患者の場合に、該当文字を拡大し且つ太文字に変更した患者用説明資料の構成が示されている。即ち、患者用説明資料７０３は、図７（ｂ）に示すように、患者情報が、患者の性質情報の一種である、例えば集中力がない患者の情報の場合に、患者用説明資料の構成として、患者に強調して伝えたい部分を太文字や文字サイズを変える構成を採用したものである。
患者用説明資料７０４は、文字だけでは理解できない患者の場合に、検査画像を挿入する変更を行った患者用説明資料の構成が示されている。即ち、患者用説明資料７０４は、図７（ｂ）に示すように、患者情報が、患者の性質情報の一種である、例えば理解力に乏しい患者の情報の場合に、患者用説明資料の構成として、検査結果画像を説明文内に挿入する構成を採用したものである。
患者用説明資料７０５は、日本語が読めない外国人の患者の場合に、言語を変更した患者用説明資料の構成が示されている。即ち、患者用説明資料７０５は、図７（ｂ）に示すように、患者情報が、患者の個人情報の一種である、例えば患者の国籍の情報（患者が外国人）の場合に、患者用説明資料の構成として、言語を当該患者の国籍の言語に変更する構成を採用したものである。
患者用説明資料７０６は、長文を集中して読めない患者の場合に、文書の表示方法を変更した患者用説明資料の構成が示されている。即ち、患者用説明資料７０６は、図７（ｂ）に示すように、患者情報が、患者の個人情報の一種である、例えば患者の年齢の情報（患者が所定年齢以下の子供）の場合に、患者用説明資料の構成として、説明文章の表示方法を変更する構成や、やさしい印象を与えるフォントに変更する構成を採用したものである。その他、図７（ｂ）に示すように、患者情報が、患者の個人情報の一種である、例えば患者の年齢の情報（患者が所定年齢以下の子供）の場合に、漢字をひらがなに変更またはルビを付ける構成を採用してもよい。
【００９０】
第１の実施形態に係る患者用説明資料作成装置１２３では、患者に係る患者情報を取得し、資料格納手段２０２から当該患者に係る資料情報を取得し、取得した患者情報に基づいて患者用説明資料の構成を設定し、取得した資料情報及び設定した患者用説明資料の構成に基づいて患者用説明資料を生成するようにしている。
かかる構成によれば、医師の作業負荷を増大させることなく、個々の患者にとって見易く且つ理解し易い患者用説明資料を作成することができる。これにより、患者にやさしい医療を提供することが可能となる。
【００９１】
（第２の実施形態）
上述した第１の実施形態では、資料選定手段２１３による対象患者に係る資料の選定処理においては、患者情報取得手段２１１で取得した患者情報に基づいて自動で行うものであったが、本発明においてはこの形態に限定されるものではない。例えば、医師等のユーザがクライアント装置１２３ａに対して資料の選定に係る情報を入力して、この情報をもとに資料選定手段２１３が資料の選定処理を行う形態も本発明に含まれる。
【００９２】
図８は、本発明の第２の実施形態を示し、図２の資料選定手段２１３において資料の選定処理を行う際の一例を示す図である。
【００９３】
図８（ａ）は、例えばクライアント装置１２３ａの表示画面に表示される資料選定情報入力フォーム８００が示されている。例えば、乳癌患者の資料を選定するために、医師等のユーザは、資料選定情報入力フォーム８００の病名８０１、ステージ８０２、合併症８０３の欄に情報を入力することで、乳癌の病期IIＢの患者が必要とする資料として乳房温存手術、乳房切除術等関連資料を収集することができる。また、資料選定情報入力フォーム８００のチェックボックス８０４を用いて乳房の温存を希望することを設定することで、乳房切除に関連する資料は収集対象から外れるため、乳房温存手術に関連する資料が図８（ｂ）に示す資料一覧８０７のように収集される。なお、図８（ａ）に示す資料選定情報入力フォーム８００には、資料取集の開始を指示するための資料取集ボタン８０５や、病名８０１及びステージ８０２等を拡大表示する表示部８０６が設けられている。
【００９４】
その後、このようにして選定された資料に係る資料情報を用いて、上述した第１の実施形態の構成決定手段２１６、構成変更手段２１８及び患者用説明資料生成手段２２０による処理が行われて、患者用説明資料が自動生成される。
【００９５】
この第２の実施形態においても、上述した第１の実施形態と同様の効果を奏する。
【００９６】
（その他の実施形態）
また、本発明は、以下の処理を実行することによっても実現される。
即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
このプログラム及び当該プログラムを記憶したコンピュータ読み取り可能な記憶媒体は、本発明に含まれる。
【００９７】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００９８】
１２０  患者用説明資料データベース、１２１  印刷装置、１２２  患者用説明資料確認用装置、１２３ａ  患者用説明資料作成装置のクライアント装置、１２３ｂ  患者用説明資料作成装置のサーバ装置、２０１  医療情報格納手段、２０２  資料格納手段、２１１  患者情報取得手段、２１２  患者情報記憶手段、２１３  資料選定手段、２１４  資料情報取得手段、２１５  資料情報記憶手段、２１６  構成決定手段、２１７  構成情報記憶手段、２１８  構成変更手段、２１９  構成変更情報記憶手段、２２０  患者用説明資料生成手段、２２１  出力制御手段
【図１】
2015170312.tif 000003
【図２】
2015170312.tif 000004
【図３】
2015170312.tif 000005
【図４】
2015170312.tif 000006
【図５】
2015170312.tif 000007
【図６】
2015170312.tif 000008
【図７】
2015170312.tif 000009
【図８】
2015170312.tif 000010